(57)【特許請求の範囲】
【請求項１】
箱型のケースの形に形成され、ケースの下面の一方の稜の近傍に固定脚が設けられ、下面の他方の稜の近傍に可変脚が設けられた機器において、
前記可変脚は、ケースの下面に設けられた軸受けと、軸受けに制動を受けて可回動に挿入された軸と、軸に固定された脚と、脚を伸ばす方向に軸を回動付勢するバネで構成され、
前記可変脚の脚の先端には接地する第一のローラが設けられ、前記軸には脚が略完全に折れ曲がったときに接地する第二のローラが設けられ、
前記バネの回動付勢力は、前記軸受けの制動力より大きく、前記バネの回動付勢力は、
前記軸受けの制動力と機器の重さによる押し下げ力の和より小さく、前記バネの回動付勢力と軸受けの制動力の和は、前記機器の重さによる押し下げ力より大きく、
また、前記第一のローラは前記第二のローラの径より小さいことを特長とする機器の設置角度調整用の可変脚。
【発明の詳細な説明】
【０００１】
【発明の属する技術分野】
本発明は、卓上型のコンピュータ及び計測機器等のように、箱形のケースの形に形成された機器の設置角度調整用の可変脚に関するものである。
【０００２】
【従来の技術】
卓上型のコンピュータ及び計測機器等は箱形のケースの形に形成され、人が操作しやすいように設置角度が調整できるようになっている。例えば、ケースの下面にねじ込み脚を設け、この脚をねじ込んで設置角度を調整するもの、又はケースの下面に偏心ローラ状の脚を設け、この脚を回して設置角度を調整するもの等がある。これらの機器の設置角度を調整するには、ケースを持ち上げるか又はひっくり返し、脚を回して高さを替えて調整するので、一人では難しい。また、設置角度に少し不満がある場合には、同じ操作を再びする必要があり、微量調整が難しい不都合がある。
【０００３】
【発明が解決しようとする課題】
そこで本発明は、設置角度の調整が一人ででき、微量調整も容易にできるようにした機器の設置角度調整用の可変脚を提供することである。
【０００４】
【課題を解決するための手段】
上記課題を解決するために本発明は、箱型のケースの形に形成され、ケースの下面の一方の稜の近傍に固定脚が設けられ、下面の他方の稜の近傍に可変脚が設けられた機器において、前記可変脚は、ケースの下面に設けられた軸受けと、軸受けに制動を受けて可回動に挿入された軸と、軸に固定された脚と、脚を伸ばす方向に軸を回動付勢するバネで構成され、前記バネの回動付勢力は、前記軸受けの制動力より大きく、前記バネの回動付勢力は、前記軸受けの制動力と機器の重さによる押し下げ力の和より小さく、前記バネの回動付勢力と軸受けの制動力の和は、前記機器の重さによる押し下げ力より大きくしている。
このように機器を持ち上げれば可変脚は自動的に伸び、機器を押し下げれば可変脚は折れ曲がり、機器から手を離せば可変脚はその位置に留まるので、機器の設置角度の調整が一人ででき、微量調整も容易にできるようになる。
【０００５】
そして、前記可変脚の脚の先端には接地する第一のローラが設けられ、前記軸には脚が略完全に折れ曲がったときに接地する第二のローラが設けられ、前第一のローラは第二のローラの径より小さいので、可変脚が略完全に折れ曲がると軸に設けられている第一のローラが接地し、安定した機器の設置状態が保たれるようになる。
【０００６】
【発明の実施の形態】
以下、本発明の実施の形態を説明する。図１に示すように、卓上型のコンピュータ又は計測機器１のケース２は箱形に形成され、ケース２の下面の前端の稜３の近傍に固定脚４が設けられ、下面の後端の稜５の近傍に可変脚６が設けられている。
【０００７】
可変脚６は、ケース２の稜５の近傍の両端部に設けられた軸受け７と、軸受け７に挿入された軸８と、軸８に固定されたＵ字状の脚９と、軸８に装着されたバネ１０で構成されている。軸受け７は、一定トルクの制動力が掛かるもので、この軸受け７に軸８の両端が挿入されている。軸受け７に両端が挿入された軸８にはＵ字状の脚９の両端が固着され、
バネ１０は軸受け７の制動力に抗して脚９を伸ばす方向へ軸８を回動付勢するように軸８に装着されている。
【０００８】
軸８に両端が固着されたＵ字状の脚９の下部の両端部には、第一のローラ１１が設けられている。また、軸８の両端部には第二のローラ１２が設けられている。そして、脚９が伸びている状態では第一のローラ１１が接地し、脚９が略完全に折れ曲がった状態では第二のローラ１２が接地するようになっている。
【０００９】
以上のような構造の設置角度調整用の可変脚６において、軸受け７の制動力をＦａ、バネ１０の回動付勢力をＦｂ、機器１の重さによる押し下げ力をＦｃとすると、これらの力関係は下記のようになっている。
【００１０】
Ｆａ＜Ｆｂ  機器１を持ち上げて機器１の重さによる押し下げ力（Ｆｃ）を除くと、軸受け７の制動力（Ｆａ）はバネ１０の回動付勢力（Ｆｂ）より小さいので、軸８は回動して脚９が伸びる。
【００１１】
Ｆｃ＜Ｆａ＋Ｆｂ  機器１の重さによる押し下げ力（Ｆｃ）は、軸受け７の制動力（Ｆａ）とバネ１０の回動付勢力（Ｆｂ）の和より小さいので、人が力を加えなければ脚９が折れ曲がって縮むことはない。
【００１２】
Ｆｂ＜Ｆａ＋Ｆｃ  バネ１０の回動付勢力（Ｆｂ）は、軸受け７の制動力（Ｆａ）と機器１の重さによる押し下げ力（Ｆｃ）の和より小さいので、人が力を加えなければ脚９が伸びることはない。
【００１３】
そして、軸受け７の制動力（Ｆａ）とバネ１０の回動付勢力（Ｆｂ）の和から機器１の重さによる押し下げ力（Ｆｃ）を引いた以上の力を人が掛けると、脚９が折れ曲がって縮む。
【００１４】
以上のように、機器１を持ち上げると脚９が自動的に伸び、人が機器１を押すと脚９は折れ曲がって縮み、押すのを止めるとその位置で安定するので、機器１の設置角度の調整が一人ででき、微量調整も容易にできる。
【００１５】
なお、上述した実施例では、固定脚４をケース２の前方に設け、可変脚６をケース２の後方に設けているが、固定脚４をケース２の後方に設け、可変脚６をケース２の前方に設けても同様に設置角度を調整できる。
【００１６】
【発明の効果】
以上説明したように本発明は、箱型のケースの形に形成され、ケースの下面の一方の稜の近傍に固定脚が設けられ、下面の他方の稜の近傍に可変脚が設けられた機器において、
前記可変脚は、ケースの下面に設けられた軸受けと、軸受けに制動を受けて可回動に挿入された軸と、軸に固定された脚と、脚を伸ばす方向に軸を回動付勢するバネで構成され、
前記バネの回動付勢力は、前記軸受けの制動力より大きく、前記バネの回動付勢力は、前記軸受けの制動力と機器の重さによる押し下げ力の和より小さく、前記バネの回動付勢力と軸受けの制動力の和は、前記機器の重さによる押し下げ力より大きくしている。このように機器を持ち上げれば可変脚は自動的に伸び、機器を押し下げれば可変脚は折れ曲がり、機器から手を離せば可変脚はその位置に留まるので、機器の設置角度の調整が一人ででき、微量調整も容易にできるようになる。
【図面の簡単な説明】
【図１】  本発明の設置角度調整用の可変脚を設けた機器の底面図である。
【図２】  本発明の設置角度調整用の可変脚を設けた機器の側面図である。
【図３】  可変脚を折り曲げた状態の側面図である。
【符号の説明】
１  機器
２  ケース
３、５  稜
４  固定脚
６  可変脚
７  軸受け
８  軸
９  脚
１０  バネ
１１  第一のローラ
１２  第二のローラ
【図１】
0003767229.tif 000002
【図２】
0003767229.tif 000003
【図３】
0003767229.tif 000004